(57)【要約】【課題】アラキドン酸を利用した胎盤排出方法を提供することを目的とする。【解決手段】胎子娩出後の非ヒト哺乳動物の臍帯血管にアラキドン酸又はその塩を注入する工程を含む、胎盤排出方法。【選択図】なし【特許請求の範囲】
【請求項１】
胎子娩出後の非ヒト哺乳動物の臍帯血管にアラキドン酸又はその塩を注入する工程を含む、胎盤排出方法。
【請求項２】
非ヒト哺乳動物が分娩誘起された非ヒト哺乳動物である、請求項１記載の方法。
【請求項３】
非ヒト哺乳動物がウシである、請求項１又は２記載の方法。
【発明の詳細な説明】
【技術分野】
【０００１】
本発明は、例えば胎子の娩出後において胎盤を排出する方法に関する。
【背景技術】
【０００２】
畜産の生産現場では、担い手の高齢化が進み、労働負担の軽減化が強く求められている。特に、家畜の分娩は厳密な予定が立たず、深夜になった場合の分娩介護は重労働となっている。またウシの繁殖成績の低下傾向には歯止めがかからず、その原因の一つとして難産を含めた分娩管理の不適切さが上げられる。子牛の損耗率は分娩介護を実施するか否かに大きく依存していることが報告されている。これらの問題を解決するために、分娩の日時を安全に調節する技術が求められている。
【０００３】
従来において、ウシにおける飼料給与を夜間のみに実施する夜間給餌法では、昼分娩確率(通常の労働時間内の分娩)を7〜8割程度に高めることができる(非特許文献１及び２）。また、ウシにおけるホルモン剤を用いた分娩誘起では、処置後一定時間内で胎子の娩出を達成できる(非特許文献３）。
【０００４】
しかしながら、夜間給餌法では分娩日の予測はできないので、農家の緊張感は長時間続く。また、ホルモン剤を用いた分娩誘起では、胎子娩出後に胎盤が排出されない病態である胎盤停滞が高率で発生する。胎盤停滞になると飼料の摂取が悪くなり乳生産が低下する他、子宮内膜炎が増加し、その結果次回の受胎成績の悪化につながる。
【０００５】
一方、ウシにおける臍帯からのコラゲナーゼ注入で胎盤を剥離排出する技術が報告されている(非特許文献４）。特許文献１は、ウシ等の非ヒト哺乳動物においてアラキドン酸誘導体等の投与により胎盤排出を誘起できることを開示する。また、非特許文献５において、胎盤の剥離にはマトリックスメタロプロテアーゼ(以下、「MMP」と称する)が関与することが推定されている。さらに、特許文献１は、アラキドン酸が胎盤由来線維芽細胞のMMPを活性化することを開示する。
【０００６】
しかしながら、アラキドン酸を利用した胎盤排出方法は、今まで知られていなかった。
【先行技術文献】
【特許文献】
【０００７】
【特許文献１】特開2009-73789号公報
【非特許文献】
【０００８】
【非特許文献１】Aokiら, Animal Science Journal, 2006年, 第77巻, 第3号, pp. 290-299
【非特許文献２】大田ら，鹿児島畜試研報, 1992年, 第24号, pp. 50-53
【非特許文献３】Bosc M. J.ら, Theriogenology, 1975年, 第3巻 pp. 187-191
【非特許文献４】Eiler H.ら, JAVMA, 1993年, 第203巻, pp. 436-443
【非特許文献５】Maj J.G.ら, Placenta, 1997年, 第18巻, pp. 683-687
【発明の概要】
【発明が解決しようとする課題】
【０００９】
本発明は、上述した実情に鑑み、アラキドン酸を利用した胎盤排出方法を提供することを目的とする。
【課題を解決するための手段】
【００１０】
上記課題を解決するため鋭意検討した結果、アラキドン酸のMMP活性化能を利用し、アラキドン酸の臍帯注入により胎盤排出を誘起できることを見出し、本発明を完成するに至った。
【００１１】
本発明は、胎子娩出後の非ヒト哺乳動物の臍帯血管にアラキドン酸又はその塩を注入する工程を含む胎盤排出方法に関する。当該非ヒト哺乳動物としては、例えば高い確率で胎盤停滞を発生する、分娩誘起された非ヒト哺乳動物が挙げられる。また、非ヒト哺乳動物としては、例えばウシが挙げられる。
【発明の効果】
【００１２】
本発明によれば、胎盤停滞を生じることなく、胎盤を排出することができる。また、本発明によれば、ホルモン剤等を使用した分娩誘起による胎盤停滞の発生を予防でき、畜産分野において家畜に対する分娩誘起処置を安全に行うことができる。
【図面の簡単な説明】
【００１３】
【図１】臍帯血管へのアラキドン酸又はその塩の注入手順を示す図である。
【発明を実施するための形態】
【００１４】
以下、本発明を詳細に説明する。
本発明に係る胎盤排出方法(以下、「本方法」と称する)は、胎子娩出後の非ヒト哺乳動物の臍帯血管にアラキドン酸又はその塩を注入する工程を含むものである。アラキドン酸は、血小板凝集作用を有し、非ヒト哺乳動物の血管に直接注入することができない。そこで、本方法では、循環血に直接繋がっていない臍帯血管にアラキドン酸又はその塩を注入することで、胎盤排出を誘起する。本方法によれば、ホルモン剤等を使用した分娩誘起による胎盤停滞を防ぎ、又は自然発生の胎盤停滞時に胎盤を排出することができる。ここで、「胎盤停滞」とは、分娩(胎子娩出)後、12時間経っても胎盤が子宮内から自然に排出されない疾病を意味する。
【００１５】
本方法の対象動物としては、特に限定されるものではないが、例えばウシ、ブタ、ウマ、ヒツジ、ヤギ、イヌ、ネコ等の非ヒト哺乳動物が挙げられ、ウシが好ましい。
【００１６】
さらに、本方法を、高い確率で胎盤停滞を発生する、分娩誘起された非ヒト哺乳動物に適用することができる。ここで、分娩誘起としては、例えば一般的な分娩誘起剤の投与による分娩誘起が挙げられる。分娩誘起剤としては、特に限定されるものではないが、例えばプロスタグランジンF2α(以下、「PGF2α」と称する)やエストラジオール等のホルモン剤、デキサメタゾン等の副腎皮質ホルモン及びこれらの組合せが挙げられる。具体的には、分娩誘起剤としてPGF2α製剤の投与又はPGF2α製剤とデキサメタゾンの併用投与により、分娩誘起を行うことができる。PGF2α製剤とデキサメタゾンの併用において、投与の順序は、同時であってよく、あるいはいずれか一方の投与の後に他方の投与が行われる。
【００１７】
本方法では、胎子娩出後に、非ヒト哺乳動物の臍帯血管にアラキドン酸又はその塩を注入する。アラキドン酸の薬学的に許容される塩としては、例えばナトリウム塩、カリウム塩等のアルカリ金属塩が挙げられる。
【００１８】
臍帯血管へのアラキドン酸又はその塩の注入量としては、例えばウシ等の非ヒト哺乳動物に対して20〜200mg、好ましくは50〜100mgが挙げられる。また、アラキドン酸又はその塩の注入は、例えば胎子娩出(分娩)の1〜12時間後、好ましくは3〜6時間後に行われる。
【００１９】
ウシの臍帯血管へのアラキドン酸又はその塩の注入手順を、図１を用いて以下に具体的に説明する。先ず、(1)胎子娩出後、胎盤につながる臍帯血管(動脈)を膣外に露出させ、(2)鉗子を用いて固定する。さらに、(3)臍帯血管の先端をカットし、(4)アラキドン酸又はその塩の水溶液を注射筒により直接注入するか、あるいは(5)延長チューブを付けた注射筒により注入する。なお、注入前後の臍帯血管の結紮は必ずしも必要とされない。
【００２０】
以上に説明した本方法によれば、分娩誘起や自然発生による胎盤停滞の発生を予防し、胎盤を排出することができる。さらに、本方法により、胎盤停滞のない分娩誘起が可能となり、農家の望む時間帯に分娩を調整することで無理のない分娩看護が可能となり、子牛等の家畜の損耗率を低減できる。
【実施例】
【００２１】
以下、実施例を用いて本発明をより詳細に説明するが、本発明の技術的範囲はこれら実施例に限定されるものではない。
【００２２】
〔実施例１〕臍帯血管へのアラキドン酸注入による胎盤排出
ホルスタイン種妊娠牛3頭に対して、分娩予定日の5日前又は7日前にPGF2α製剤(動物用プロナルゴンF注射液(ファイザー株式会社))5ml又は10mlを臀部筋肉内に投与し、分娩誘起を行った。
【００２３】
次いで、胎子娩出の4時間後にアラキドン酸を臍帯動脈に投与した。投与したアラキドン酸は、アラキドン酸エタノール溶液(和光純薬株式会社)(濃度100mg/ml)0.5mlとリン酸緩衝生理食塩液（以下、PBSとする）50mlとを混和したものであった。アラキドン酸投与後、さらにPBSのみ50mlを臍帯動脈に投与した。
アラキドン酸投与による胎盤排出の結果を表１に示す。
【００２４】
【表１】
2012060938.tif 000002
【００２５】
表１に示すように、アラキドン酸の臍帯注入により胎盤の排出が誘導されることが判る。なお、分娩誘導に36時間以上かかったウシの場合、そのまま(アラキドン酸無投与)では100％の確率で胎盤停滞が発生した（特願2010-192723「胎盤停滞の発生予測法」に開示）。
【００２６】
さらに、上記1頭の牛(牛番号967)について、アラキドン酸投与前及び投与後における血中ケト-エイコサテトラエン酸(又はオキソ-エイコサテトラエン酸と呼ばれる;以下、「KETE」と称する)濃度を測定した。血中KETE濃度の測定は、高速液体クロマトグラフィーを用いて行われた。結果を表２に示す。
【００２７】
【表２】
2012060938.tif 000003
【００２８】
KETEは自然分娩時にも胎盤の剥離排出に先立って母牛血中に現れることから胎盤剥離シグナルと考えられる。表２に示すように、アラキドン酸を臍帯に注入するとアラキドン酸が胎盤剥離シグナルであるKETEに変換されることが判る。
【図１】
2012060938.tif 000004